(57)【要約】【課題】  復水処理剤または清缶剤の注入量を適切に制御して配管の腐食防止を行うこと。  【解決手段】  蒸気供給源２から供給される蒸気を負荷機器３が利用することによって前記負荷機器３から発生するドレンに復水処理剤または清缶剤を注入する薬注手段４を備える薬注システムであって、前記負荷機器３から排出されるドレン流量を計測し、その積算値を算出するドレン流量計測手段５Ａ，５Ｂと、前記ドレン流量計測手段５Ａ，５Ｂにより算出されたドレン流量の積算値に基づき前記薬注手段４の薬注量を算出する薬注量算出手段５Ｅとを備える。【選択図】図１
2013234813.tif 000002
【特許請求の範囲】
【請求項１】
蒸気供給源から供給される蒸気を負荷機器が利用することによって前記負荷機器から発生するドレンに復水処理剤または清缶剤を注入する薬注手段を備える薬注システムであって、
前記負荷機器から排出されるドレン流量を計測し、その計測値を積算するドレン流量計測手段と、
前記ドレン流量計測手段により算出された積算値に基づき前記薬注手段の薬注量を算出する薬注量算出手段とを備える
ことを特徴とする薬注システム。
【請求項２】
前記ドレン流量計測手段は、
前記負荷機器から発生したドレンが流れるドレンラインに介設され前記ドレンを一時的に貯留するドレン貯留部と、
前記ドレンラインのうち、前記ドレン貯留部よりも下流側の箇所に介設された流量制御弁と、
前記ドレン貯留部内における前記ドレンの液位が、予め定められた低液位に到達したこと、および前記低液位よりも高い予め定められた高液位に到達したことを検出する液位検出手段とを含み、
前記液位検出手段による液位変化に基づき、ドレン流量を計測し、その計測値を積算する
ことを特徴とする請求項１に記載の薬注システム。
【請求項３】
前記ドレン流量計測手段は、
前記負荷機器から発生したドレンが流れるドレンラインに介設され前記ドレンを一時的に貯留するドレン貯留部と、
前記ドレンラインのうち、前記ドレン貯留部よりも下流側の箇所に介設された流量制御手段と、
前記ドレンラインの前記流量制御手段の上流側と下流側との差圧を検出する差圧検出手段とを含み、
前記差圧検出手段により検出された前記差圧に基づいてドレン流量を計測し、その計測値を積算する
ことを特徴とする請求項１に記載の薬注システム。
【発明の詳細な説明】
【技術分野】
【０００１】
本発明は、負荷機器から発生するドレンに復水処理剤または清缶剤を注入する薬注システムに関する。
【背景技術】
【０００２】
蒸気供給源から供給される蒸気を負荷機器が利用することによって負荷機器から発生するドレンに復水処理剤を注入する薬注手段を備える薬注システムは、特許文献１，２等で知られている。
【０００３】
特許文献１の薬注システムは、ドレン回収率と原水のＭアルカリ度に基づき復水処理剤の注入量を制御するものである。ドレン回収率は、原水の水温，ドレン水の水温および給水の水温によって決定する。また、特許文献２の薬注システムは、ドレンの炭酸イオン濃度および溶存酸素濃度に基づき復水処理剤の注入量を制御するものである。いずれもドレンの回収率（ドレン量）の精度が悪いので、適切な薬注量の制御が困難である。
【先行技術文献】
【特許文献】
【０００４】
【特許文献１】特開２００１−３５５８０４号公報
【特許文献２】特開２００５−３３７５８５号公報
【発明の開示】
【発明が解決しようとする課題】
【０００５】
本発明が解決しようとする課題は、復水処理剤または清缶剤の注入量を適切に制御して配管の腐食防止などを行うことである。
【課題を解決するための手段】
【０００６】
本発明は、請求項１に記載の発明は、蒸気供給源から供給される蒸気を負荷機器が利用することによって前記負荷機器から発生するドレンに復水処理剤または清缶剤を注入する薬注手段を備える薬注システムであって、前記負荷機器から排出されるドレン流量を計測し、その計測値を積算するドレン流量計測手段と、前記ドレン流量計測手段により算出された積算値に基づき前記薬注手段の薬注量を算出する薬注量算出手段とを備えることを特徴としている。
【０００７】
請求項１に記載の発明によれば、前記薬注量算出手段は、前記ドレン流量計測手段により計測、算出されたドレン流量の積算値に基づき前記薬注手段の薬注量を算出するので、生成したドレン量に対する復水処理剤または清缶剤の注入量を適切に制御して配管の腐食防止などを行うことができる。
【０００８】
また、請求項２に記載の発明は、請求項１において、前記ドレン流量計測手段は、前記負荷機器から発生したドレンが流れるドレンラインに介設され前記ドレンを一時的に貯留するドレン貯留部と、前記ドレンラインのうち、前記ドレン貯留部よりも下流側の箇所に介設された流量制御弁と、前記ドレン貯留部内における前記ドレンの液位が、予め定められた低液位に到達したこと、および前記低液位よりも高い予め定められた高液位に到達したことを検出する液位検出手段とを含み、前記液位検出手段による液位変化に基づき、ドレン流量を計測し、その計測値を積算することを特徴としている。
【０００９】
請求項２に記載の発明によれば、請求項１に記載の発明による効果に加えて、液位検出
手段を設けるという簡単な構成によってドレン流量の積算値を算出することができるため、構成の簡素化およびコストの低減化を図ることができると共に、的確にドレン流量を計測し、その積算値を算出することができるという効果を奏する。
【００１０】
また、請求項３に記載の発明は、請求項１において、前記ドレン流量計測手段は、前記負荷機器から発生したドレンが流れるドレンラインに介設され前記ドレンを一時的に貯留するドレン貯留部と、前記ドレンラインのうち、前記ドレン貯留部よりも下流側の箇所に介設された流量制御手段と、前記ドレンラインの前記流量制御手段の上流側と下流側との差圧を検出する差圧検出手段とを含み、前記差圧検出手段により検出された前記差圧に基づいてドレン流量を計測し、その計測値を積算することを特徴としている。
【００１１】
請求項３に記載の発明によれば、請求項１に記載の発明による効果に加えて、前記差圧検出手段を設けるといった簡単な構成によってドレン流量を計測し、その積算値を算出することができるため、構成の簡素化およびコストの低減化を図ることができるという効果を奏する。
【発明の効果】
【００１２】
本発明によれば、復水処理剤または清缶剤の注入量を適切に制御して配管の腐食防止などを行うことができる。
【図面の簡単な説明】
【００１３】
【図１】本発明を実施した薬注システムの第１の実施形態の概略構成図である。
【図２】本発明を実施した薬注システムの第２の実施形態の概略構成図である。
【発明を実施するための形態】
【００１４】
＜第１の実施の形態＞
（第１の実施の形態の構成）
以下、本発明にかかる薬注システムの第１の実施の形態について、図１を参照して説明する。本実施の形態の薬注システム１は、蒸気供給源としての蒸気ボイラ（以下、単にボイラという。）２から供給される蒸気を負荷機器３が利用することによって負荷機器３から発生するドレンに復水処理剤を注入するもので、ドレンに復水処理剤を注入する薬注手段４と、制御手段としての制御器５とを備えている。なお、本実施の形態では、ドレンに注入する薬剤を復水処理剤としているが、復水処理剤に代えて腐食やスケールの発生を抑制するための清缶剤とすることができる。
【００１５】
蒸気供給ライン６は、ボイラ２から供給される蒸気を負荷機器３へ供給するものである。蒸気供給ライン６には、蒸気ヘッダ，減圧弁，制御弁（いずれも図示省略）が介設されている。
【００１６】
ドレンラインの一部を構成するドレン戻りライン７は、蒸気が熱交換器３を通ることで生じるドレンを、ドレン貯留部としての密閉型のドレンタンク８，ドレン供給ライン９，大気開放型の給水タンク１０，給水ライン１１を介してボイラ２へ給水として供給する。ドレンタンク８は、大気圧を越える高圧に保持される。
【００１７】
ドレンタンク８には、ドレンタンク８内の水位を検出するための差圧式の液位検出手段１３と、ドレンタンク８内の水温を検出する温度センサ１４と、ドレンタンク８内の圧力を検出する圧力センサ１５とを備えている。    
【００１８】
液位検出手段１３は、ドレンタンク８内における液位が、予め定められた低液位Ｌに到達したか否かを検出すると共に、低液位Ｌよりも高い予め定められた高液位Ｈに到達したか否かを検出する。液位検出手段１３としては、ドレンタンク８に連通する水位制御筒１６に設けているが、これに限定されるものではなく、ドレンよりも比重が軽い浮子（フロート）の位置に基づいて液位を検出するフロート式の液位センサ、あるいは、電極がドレンに浸るか否かによって変化する静電容量を検出する静電容量式の液位センサなど従来公知のさまざまな液位センサが使用可能である。
【００１９】
給水タンク１０には、脱気処理（これに加えて必要に応じて軟水化処理）された原水を供給するための原水供給手段１２が接続されている。原水供給手段１２は、原水供給ライン１２Ａと原水流量計１２Ｂとを含んで構成されている。また、給水タンク１０にも液位検出手段（図示省略）を備えていて、給水タンク１０内の水位が設定範囲に収まるように、かつ給水タンク１０内の水位が設定水位より低い場合に、原水供給手段１２から給水タンク１０内へ原水を供給するように、制御器５または他の制御器により制御される。
【００２０】
ドレンラインの一部を構成するドレン供給ライン９には、流量制御手段としてのドレン制御弁１７と、ドレン制御弁１７の入口と出口の差圧を検出する差圧検出手段１８と、冷却用の熱交換器１９とを設けている。ドレン制御弁１７は、制御信号によって開度が調整されるモータ弁あるいは比例弁で構成されている。熱交換器１９は、冷却水が供給されることによりドレンタンク８からドレン供給ライン９に流れるドレンの温度を下げることでフラッシュ（再蒸発）を防止する目的で設けられる。フラッシュとは、ドレン制御弁１７を境にしてドレン制御弁１７の下流側では上流側に比べて圧力が下がるため、高温のドレンの一部が蒸気になる現象である。フラッシュが生じると、流量計測が正確にできなくなる他、配管が振動し配管の耐久性に悪影響を与えるおそれがある。
【００２１】
給水ライン１１には、ドレンポンプ（給水ポンプ）２０と、給水タンク１０方向の流れを阻止する逆止弁２１とを設けている。
【００２２】
薬注手段４は、復水処理剤を貯留する薬液タンク４Ａと、薬液ポンプ４Ｂを設けた薬液ライン４Ｃとを含んで構成されている。
【００２３】
制御器５は、ＣＰＵと、バスラインを介して接続されたＲＯＭ、ＲＡＭ、インタフェースなどを含むマイクロコンピュータで構成されている。ＲＯＭはＣＰＵが実行する制御プログラムなどを格納し、ＲＡＭはワーキングエリアを提供する。
【００２４】
また、制御器５は、原水流量計１２Ｂ，液位検出手段１３，温度センサ１４，圧力センサ１５，差圧検出手段１８などの信号を入力して、制御プログラムに基づき、ドレン制御弁１７，薬注ポンプ４Ｂなどを制御する。
【００２５】
制御プログラムには、ドレン流量を算出する第１プログラム（ドレン流量算出手段）５Ａと、ドレン流量算出手段５Ａによって算出されたドレン流量を積算することによりドレン流量の積算値を算出する第２プログラム（ドレン流量積算値算出手段）５Ｂと、単位時間当たりの原水流量を算出する第３プログラム（原水流量算出手段）５Ｃと、原水流量の積算値を算出する第４プログラム（原水流量積算値算出手段）５Ｄと、ドレン流量の積算値と原水流量の積算値とに基づき薬注手段４の薬注量を算出する第５プログラム（薬注量算出手段）５Ｅとを備える。
【００２６】
ドレン流量算出手段５Ａは、ドレンタンク８に貯留されたドレンがドレン制御弁１７を通ってドレン供給ライン９を流れている状態で差圧検出手段１８により検出された差圧に基づいて単位時間当たりのドレン流量を算出する。
【００２７】
なお、ドレン流量は、流路断面積と差圧とに基づいて算出されるため、制御器５は流路断面積を特定する必要がある。本実施の形態では、ドレン制御弁１７が開度を調整可能であるため、制御器５は、ドレン制御弁１７の開度を検出すると共に、開度から流路断面積を特定するためのマップを備えており、検出した開度からマップに基づいて流路断面積を特定する。
【００２８】
ドレン流量積算値算出手段５Ｂは、ドレン制御弁１７が開状態となっている時間（ドレンがドレン制御弁１７を通過している時間）を計時し、その時間と、単位時間当たりのドレン流量とを乗算することにより、ドレン制御弁１７が開状態となっている間に流れるドレン流量の積算値を算出する。
【００２９】
この第１の実施の形態のドレン流量計測手段は、負荷機器３から発生したドレンが流れるドレン戻りライン７に介設されドレンを一時的に貯留するドレンタンク８と、ドレン供給ライン９のうち、ドレンタンク８よりも下流側の箇所に介設されたドレン制御弁１７と、ドレン制御弁１７の上流側と下流側との差圧を検出する差圧検出手段１８と、ドレンタンク８に貯留されたドレンがドレン制御弁１７を通ってドレン供給ライン９を流れている状態で差圧検出手段１８により検出された差圧に基づいて単位時間当たりのドレン流量を算出するドレン流量算出手段５Ａと、ドレン流量算出手段５Ａによって算出されたドレン流量を積算することによりドレン流量の積算値を算出するドレン流量積算値算出手段５Ｂとを含んで構成されている。
【００３０】
原水流量算出手段５Ｃは、原水流量計１２Ｂからの信号に基づき、給水タンク１０へ供給される単位時間当たりの原水流量を算出する。
【００３１】
原水流量積算値算出手段５Ｄは、算出された単位時間当たりの原水流量を積算して給水タンク１０へ供給される原水流量の積算値を算出する。
【００３２】
薬注量算出手段５Ｅは、ドレン流量積算値算出手段５Ｂにより算出されたドレン流量の積算値と原水流量積算値算出手段５Ｄにより算出された原水流量の積算値に基づき薬注手段４の薬注量を算出する。この薬注量は、ドレン流量の積算値に対する原水流量の積算値の割合が多いほど、多くなる。
【００３３】
（第１の実施の形態の動作）
次に、薬注システム１の動作について説明する。図１を参照して、ボイラ２から供給される蒸気を使用して負荷機器３から発生したドレンはドレン戻りライン７を介してドレンタンク８に貯留される。
【００３４】
ドレンタンク８に貯留されるドレンの量が増加するに従ってドレンの液位は上昇し、液位検出手段１３によってドレンの液位が高液位Ｈに到達したことが検出されたら、ドレン制御弁１７を閉状態から開状態に制御する。これにより、ドレンタンク８に貯留されていたドレンは、ドレン制御弁１７を通って給水タンク１０へ供給される。給水タンク１０に貯留されたドレンは、ボイラ２の制御器（図示省略）の制御信号で駆動されるドレンポンプ２０によりボイラ２へ供給される。
【００３５】
ドレンタンク８からドレンが給水タンク１０へ供給されることによりドレンタンク８に貯留されるドレンの量が減少するに従ってドレンの液位は下降し、やがて、液位が低液位Ｌよりも低位となり、液位検出手段１３によってドレンの液位が検出されなくなる。すると、制御器５は、ドレン制御弁１７を開状態から閉状態に制御し、再び、ドレンタンク８にドレンを貯留させる。
【００３６】
ドレンタンク８に貯留されたドレンがドレン制御弁１７を通ってドレン供給ライン９を流れている期間、ドレン流量算出手段５Ａは、差圧検出手段１８により検出された差圧に基づいて単位時間当たりのドレン流量を算出する。
【００３７】
また、ドレン流量積算値算出手段５Ｂは、ドレン流量算出手段５Ａによって算出された単位時間当たりのドレン流量にそのときのドレン制御弁１７の開時間を乗算してその乗算値を積算することによりドレン流量の積算値を算出し、あるいは、単位時間当たりのドレン流量の時間に対する変化値を積分してその積分値を積算することによりドレン流量の積算値を算出する。
【００３８】
また、原水流量算出手段５Ｄは、原水流量計１２Ｂからの信号に基づき、給水タンク１０へ供給される単位時間当たりの原水流量を算出し、原水流量積算値算出手段５Ｄは、算出された単位時間当たりの原水流量を積算して、給水タンク１０へ供給される原水流量の積算値を算出する。
【００３９】
薬注量算出手段５Ｅは、ドレン流量積算値算出手段５Ｂによって算出されたドレン流量の積算値と、原水流量積算値算出手段５Ｄによる原水流量の積算値とから必要な薬注量積算値を算出する。この薬注量積算値は、ボイラ２への給水量に対するドレン量の割合が大きくなるほど少なくなるように予め定めた算出式に基づき算出される。復水処理剤は、Ｍアルカリ度による原水由来の炭酸を中和するために注入するので、ドレン量の戻りが増加すると、注入する復水処理剤を減少させる。制御器５は、算出された薬注量積算値に基づき、公知の手法で給水ポンプ２０に連動して薬注ポンプ４Ｂを駆動することで行われる。
【００４０】
なお、ドレン制御弁１７は、全開と全閉とに切り替えられる電磁弁であってもよく、その場合には、ドレン流量算出手段５Ａは、ドレン制御弁１７の全開状態での流路断面積と差圧とに基づいてドレン流量を算出すればよい。この場合には、電磁弁が流量制御手段を構成する。
【００４１】
また、ドレン制御弁１７の他にオリフィスをドレン供給ライン９に設け、オリフィスの上流側と下流側との差圧を差圧検出手段１８で検出し、ドレン流量算出手段５Ａは、検出された差圧とオリフィスの流路断面積とに基づいてドレン流量を算出するようにしてもよい。この場合には、オリフィスが流量制御手段を構成する。
【００４２】
（第１の実施の形態の効果）
以上説明したように、第１の実施の形態によれば、ドレン流量計測手段は、負荷機器３から発生するドレン流量を直接的に計測するので、特許文献１や特許文献２と比較して、薬注量を正確に算出することができる。
【００４３】
また、本実施の形態では、差圧検出手段１８によってドレン制御弁１７の上流側と下流側との差圧を検出し、この差圧に基づいて算出された単位時間当たりのドレン流量からドレン流量の積算値を算出するようにした。したがって、差圧検出手段を設けるといった簡単な構成によって薬注量を的確に算出することができ、構成の簡素化およびコストの低減化を図ることができる。
【００４４】
＜第２の実施の形態＞
（第２の実施の形態の構成）
次に本発明の第２の実施の形態について説明する。
図２は第２の実施の形態における薬注システム１の概略構成を説明する図である。以下の実施の形態において第１の実施の形態と同様あるいは同一の部分、部材については同一
の符号を付してその説明を省略し、あるいは、説明を簡単に行う。
【００４５】
図２に示すように、制御器５は、第１の実施の形態と同様に、ドレン流量算出手段５Ａと、ドレン流量積算値算出手段５Ｂと、原水流量算出手段５Ｃと、原水流量積算値算出手段５Ｄと、薬注量算出手段５Ｅとを備えるが、これに加えて、時間検出手段５Ｆと、弁制御手段５Ｇと、単位工程時間検出手段５Ｈとを備える。また、ドレン流量計測手段の構成が第１の実施の形態と異なる。
【００４６】
第２の実施の形態のドレン流量計測手段は、ドレンタンク８と、ドレン制御弁１７と、時間検出手段５Ｆと、ドレン流量算出手段５Ａと、弁制御手段５Ｇと、単位工程時間検出手段５Ｈと、ドレン流量積算値算出手段５Ｂとを含んで構成されている。なお、時間検出手段５Ｆ、弁制御手段５Ｇ、単位工程時間検出手段５Ｈは、制御器５のＣＰＵの制御プログラムによって実現される。
【００４７】
時間検出手段５Ｆは、ドレンタンク８に予め定められた一定量のドレンが貯まるまでに要する到達時間を検出するものである。具体的には、制御器５は計時動作を行うタイマを用いて到達時間の検出を行う。制御器５がタイマを起動させることにより時間が計時され、制御器５がタイマをリセットすることでタイマが初期化される。第２の実施の形態では、前記一定量のドレンは、ドレンタンク８内におけるドレンの液位が低液位Ｌから高液位Ｈに到達するまでに要するドレンの量である。
【００４８】
そして、時間検出手段５Ｆは、液位検出手段１３によりドレンの液位が低液位Ｌに到達したことが検出されてから、高液位Ｈに到達したことが検出されるまでに要する時間を前記の到達時間として検出する。
【００４９】
したがって、第２の実施の形態では、液位検出手段１３は、ドレンタンク８内におけるドレンの液位が、予め定められた低液位Ｌに到達したこと、および、低液位Ｌよりも高い予め定められた高液位Ｈに到達したことを検出する液位検出手段を構成する。
【００５０】
ドレン流量算出手段５Ａは、前記一定量を前記到達時間で除することにより単位時間当たりのドレン流量を算出するものである。
【００５１】
弁制御手段５Ｇは、液位検出手段１３の検出結果に基づいて、ドレンの液位が低液位Ｌを下回ったと判定したときにドレン制御弁１７を閉状態とし、ドレンの液位が高液位Ｈに到達したと判定したときにドレン制御弁１７を開状態とするものである。
【００５２】
単位工程時間検出手段５Ｈは、ドレン制御弁１７が閉状態を継続し次いで開状態を継続する一連の工程を単位工程としたとき、単位工程に要する時間を単位工程時間として検出するものである。具体的には、制御器５が前記のタイマを用いて単位工程時間の検出を行う。
【００５３】
ドレン流量積算値算出手段５Ｂは、単位工程時間と算出されたドレン流量と乗算することにより単位工程当たりのドレン流量を算出し、かつ、単位工程が繰り返される毎に単位工程当たりのドレン流量を積算することによりドレン流量の積算値を算出するものである。
【００５４】
以上説明したように、第２の実施形態のドレン流量計測手段は、負荷機器３から発生したドレンが流れるドレン戻りライン７に介設されドレンを一時的に貯留するドレンタンク８と、ドレン供給ライン９の、ドレンタンク８よりも下流側の箇所に介設されたドレン制御弁１７と、ドレンタンク８内におけるドレンの液位が、予め定められた低液位に到達し
たこと、および、低液位よりも高い予め定められた高液位に到達したことを検出する液位検出手段１３と、ドレンタンク８に予め定められた一定量のドレンが貯まるまでに要する到達時間を、液位検出手段１３の検出結果に基づいてドレンの液位が低液位から高液位に到達するまでに要する時間として検出する時間検出手段５Ｆと、前記一定量を前記到達時間で除することにより単位時間当たりのドレン流量を算出するドレン流量算出手段５Ａと、液位検出手段１３の検出結果に基づいて、ドレンの液位が前記低液位を下回ったと判定したときにドレン制御弁１７を閉状態とし、ドレンの液位が前記高液位に到達したと判定したときにドレン制御弁１７を開状態とする弁制御手段５Ｇと、ドレン制御弁１７が閉状態を継続し次いで開状態を継続する一連の工程を単位工程としたとき、前記単位工程に要する時間を単位工程時間として検出する単位工程時間検出手段５Ｈと、前記単位工程時間と前記単位時間当たりのドレン流量と乗算することにより単位工程当たりのドレン流量を算出し、かつ、前記単位工程が繰り返される毎に前記単位工程当たりのドレン流量を積算することによりドレン流量の積算値を算出するドレン流量積算値算出手段５Ｂとを含んで構成している。
【００５５】
（第２の実施の形態の動作）
次に、第２の実施の形態の動作について説明する。
まず、制御器５は、計測動作の開始に先立って、ドレン制御弁１７を開状態としドレンタンク８内のドレンを排出させドレンの液位が低液位Ｌに到達したならば、ドレン制御弁１７を閉状態とする（ステップＳ１）。そして、制御器５はタイマを起動させる（ステップＳ２）。
【００５６】
負荷機器３の動作に伴い、ドレン供給ライン９を介してドレンがドレンタンク８に供給され、ドレンタンク８内のドレンの液位が次第に上昇する。
【００５７】
制御器５は、液位検出手段１３の検出結果に基づいてドレンの液位が高液位Ｈに到達したか否かを判定する（ステップＳ３）。制御器５は、ステップＳ３の判定結果がＮｏならばステップＳ３を繰り返す。ドレンの液位が高液位Ｈに到達して第ステップＳ３の判定結果がＹｅｓならば、制御器５は、ドレン制御弁１７を閉状態から開状態としてドレンタンク８からドレンを排出させる（ステップＳ４：弁制御手段５Ｇ）。そして、制御器５は、タイマの計時結果に基づいて到達時間を検出する（ステップＳ５：時間検出手段５Ｆ）。
【００５８】
そして、制御器５は、前記一定量を到達時間で除することにより単位時間当たりのドレン流量を算出する（ステップＳ６：ドレン流量算出手段５Ａ）。
【００５９】
ドレンタンク８内のドレンの液位が次第に下降する。制御器５は、液位検出手段１３の検出結果に基づいてドレンの液位が低液位Ｌに到達したか否かを判定する（ステップＳ７）。制御器５は、ステップＳ７の判定結果がＮｏであればステップＳ７を繰り返す。ドレンの液位が低液位Ｌに到達して第二判定の判定結果がＹｅｓならば、ドレン制御弁１７を開状態から閉状態とする（ステップＳ８：弁制御手段５Ｇ）。
【００６０】
そして、制御器５は、タイマの計時結果に基づいて単位工程時間を検出する（ステップＳ９：単位工程時間検出手段５Ｈ）。ここで、単位工程時間は、ドレン制御弁１７が閉状態を継続し次いで開状態を継続する一連の工程（ステップＳ２〜Ｓ８）を単位工程としたときに要する時間に相当する。次いで、制御器５は、タイマをいったんリセットして初期化したのち、起動させ計時動作を再度開始させる（ステップＳ１０）。
【００６１】
制御器５は、ステップＳ９で検出した単位工程時間と、ステップＳ６で算出された単位時間当たりのドレン流量とを乗算することにより単位工程当たりのドレン流量を算出し、かつ、単位工程当たりのドレン流量を積算することによりドレン流量の積算値を算出する
（ステップＳ１１：ドレン流量積算値算出手段５Ｂ）。
【００６２】
次いで、制御器５は、ステップＳ３に移行してステップＳ３〜Ｓ１１の処理ループを繰り返す。したがって、この処理ループが実行される毎に（単位工程が繰り返される毎に）、単位工程当たりのドレン流量が積算されることになる。
そして、制御器５は、第１実施の形態と同様に、ドレン流量積算値算出手段５Ｂによって算出されたドレン流量の積算値と、原水流量積算値算出手段５Ｄによる原水流量の積算値とから必要な薬注量積算値を算出する（ステップＳ１２：薬注量算出手段５Ｅ）。
【００６３】
なお、本実施の形態では、前記の単位工程内においては、ドレン制御弁１７の開状態が継続されてドレンが排出されている期間と、ドレン制御弁１７の閉状態が継続されている期間との双方においてドレンタンク８に流入するドレン流量がほぼ同一であると仮定している。
【００６４】
（第２の実施の形態の効果）
以上説明したように、第２の実施の形態によれば、ドレンタンク８に予め定められた一定量のドレンが貯まるまでに要する到達時間を検出し、一定量を到達時間で除することにより単位時間当たりのドレン流量を算出するようにした。このため、第１の実施の形態に比較して、ドレン制御弁１７の上流側と下流側との差圧を検出する高温高圧仕様のコストの高い差圧検出手段１８が不要となるため、構成の簡素化およびコスト低減化を図ることができる。
【００６５】
また、第２の実施の形態では、液位検出手段１３の検出結果に基づいてドレンの液位が低液位Ｌから高液位Ｈに到達するまでに要する時間を到達時間として検出するようにした。このため、ドレンタンク８に液位検出手段１３を設けるという簡単な構成によって到達時間を検出することができるため、構成の簡素化およびコスト低減化を図ることができる。
【００６６】
また、第２の実施の形態では、ドレン制御弁１７が閉状態を継続し次いで開状態を継続する一連の工程を単位工程としたとき、単位工程に要する時間を単位工程時間として検出し、単位工程時間と算出されたドレン流量と乗算することにより単位工程当たりのドレン流量を算出し、かつ、単位工程が繰り返される毎に単位工程当たりのドレン流量を積算することによりドレン流量の積算値を算出するようにした。このため、ドレン流量の積算値に基づいて薬注量を的確に算出することができる。
【００６７】
本発明は、前記の第１の実施の形態および第２の実施の形態に限定されるものではない。たとえば、市販の流量計（ドレン流量計）をドレン供給ライン９に介設することにより単位時間当たりのドレン流量を検出し、この検出した値を積算してドレン流量の積算値を求めるように構成することができる。流量計を用い場合は、第１の実施の形態および第２の実施の形態と比較して、ドレン流量を正確に検出できるが、高温高圧仕様のコストの高い流量計が必要となるデメリットがある。また、薬注手段４による薬注位置は、給水ライン１１に限定されるものではなく、蒸気供給ライン６に設けた蒸気ヘッダ（図示省略）やドレンタンク８とすることができる。
【符号の説明】
【００６８】
１                    薬注システム
２                    蒸気ボイラ（蒸気供給源）
３                    負荷機器
４                    薬注手段
５                    制御器（制御手段）
５Ａ                  ドレン流量算出手段（ドレン流量計測手段）
５Ｂ                  ドレン流量積算値算出手段（ドレン流量計測手段）
５Ｅ                  薬注量算出手段
５Ｆ                  時間検出手段（ドレン流量計測手段）
５Ｇ                  弁制御手段（ドレン流量計測手段）
５Ｈ                  単位工程時間検出手段（ドレン流量計測手段）
７                    ドレン戻りライン（ドレンライン）
８                    ドレンタンク（ドレン貯留部）
９                    ドレン供給ライン（ドレンライン）
１３                    液位検出手段
１７                    ドレン制御弁（流量制御手段）
１８                    差圧検出手段
２０                    ドレンポンプ
【図１】
2013234813.tif 000003
【図２】
2013234813.tif 000004